(57)【特許請求の範囲】
【請求項１】
一対の信号線に接続される入力端子と、
予め定められた周波数帯の電波を受信する受信アンテナと、
前記入力端子間を短絡または開放するスイッチ回路と、
前記受信アンテナが電波を受信すると、前記スイッチ回路に前記入力端子間を短絡させるための制御信号を生成する制御回路と、
前記入力端子間の開放時に、前記入力端子を介して電源供給を受け、前記スイッチ回路及び制御回路への電源供給を行う電源回路と、
前記入力端子間の開放時に前記電源回路を介して充電され、前記入力端子間の短絡時に充電電荷を放電することにより、短絡後の一定期間の間、前記電源回路に代わって前記スイッチ回路及び制御回路への電源供給を行う補助電源回路と、
を備えることを特徴とする電波センサ。
【請求項２】
前記スイッチ回路は、
前記制御信号により導通する第１のスイッチ素子と、
該第１のスイッチ素子の導通時に充電され、遮断時に放電を行う充放電回路と、
前記入力端子間に接続され、前記充放電回路の両端電圧が予め定められたしきい電圧以上の時に導通する第２のスイッチ素子と、
からなることを特徴とする請求項１記載の電波センサ。
【請求項３】
前記電源回路は、当該電源回路に流れる電流を制限する電流制限回路を備えることを特徴とする請求項１又は請求項２記載の電波センサ。
【請求項４】
前記制御回路は、前記受信アンテナからの受信信号の包絡線検波を行う検波回路からなり、検波信号を前記制御信号とすることを特徴とする請求項１ないし請求項３いずれか記載の電波センサ。
【発明の詳細な説明】
【０００１】
【発明の属する技術分野】
本発明は、パチンコ機，パチスロ機，パチンコ玉計数機，玉貸機等、電子制御装置を備えた各種機器に取り付けられ、これら機器を誤動作させる不正電波の検知に用いる電波センサに関する。
【０００２】
【従来の技術】
従来より、パチンコ機の外部から磁石を用いて、遊技球を入賞孔に誘導する不正行為を防止するために、磁石の使用の有無を検知する磁気センサを、パチンコ機の適所に設けたものが知られている。
【０００３】
この磁気センサは、一般に、磁界に感応して信号線上に設けられたスイッチを閉じるものが用いられており、一対の信号線を介して監視装置等に接続される。そして、一対の信号線は、例えば、一方が抵抗を介して電源に接続（プルアップ）されると共に、他方が直に接地され、監視装置は、プルアップされた側の信号線の信号レベルを検出信号として取り込むように構成される。つまり、監視装置では、この監視対象の信号線の電位が電源レベルから接地レベルに変化した場合に、磁気センサが作動したもの、即ち磁石の不正使用があったしたものと判定し、パチンコ機の上部に設置された上部表示灯を点滅させる等の制御を行っていた。
【０００４】
ところで、近年では、車の無線機や携帯電話機が発生する電波等を用いて、上記機器に内蔵された電子制御装置を誤動作させ、パチンコ機から不正に景品玉を排出させたり、景品玉計数機のカウント数を誤らせて、実際の景品玉の個数より多くのカウント数を得る等の不正もなされるようになり、これに対処するために、電波センサーを内蔵した機器も出回っている。
【０００５】
【発明が解決しようとする課題】
しかし、このような不正電波の対策のために、すべての機器を電波センサを内蔵した機器に置き換えるのは、非常に大きな負担となるという問題があった。
そこで、本発明は、上記問題点を解決するために、機器の置き換えを必要とすることなく、従来からある機器に簡単に不正電波対策を施すことが可能な電波センサを提供することを目的とする。
【０００６】
【課題を解決するための手段】
上記目的を達成するためになされた請求項１に記載の発明は、一対の信号線に接続される入力端子と、予め定められた周波数帯の電波を受信する受信アンテナと、前記入力端子間を短絡または開放するスイッチ回路と、前記受信アンテナが電波を受信すると、前記スイッチ回路に前記入力端子間を短絡させるための制御信号を生成する制御回路と、前記入力端子間の開放時に、前記入力端子を介して電源供給を受け、前記スイッチ回路及び制御回路への電源供給を行う電源回路と、前記入力端子間の開放時に前記電源回路を介して充電され、前記入力端子間の短絡時に充電電荷を放電することにより、短絡後の一定期間の間、前記電源回路に代わって前記スイッチ回路及び制御回路への電源供給を行う補助電源回路とを備えることを特徴とする電波センサを要旨とする。
【０００７】
このように構成された本発明の電波センサは、入力端子に接続された一対の信号線を介して電源供給を受けて動作する。
但し、一対の信号線は、一方が抵抗を介して正電源ラインに接続（プルアップ）され、他方が負電源ラインに接続されるか、又は一方が正電源ラインに接続され、他方が抵抗を介して負電源ラインに接続（プルダウン）されているものとする。また、正電源ライン及び負電源ラインのいずれか一方は、接地電位に設定された、いわゆるグランドラインであってもよい。
【０００８】
そして、受信アンテナが電波を受信していない時には、電源回路が入力端子を介して一対の信号線から電源供給を受け、これに基づき、スイッチ回路及び制御回路への電源供給を行うと共に、補助電源回路の充電を行う。
一方、受信アンテナが電波を受信すると、制御回路が生成する制御信号に従って、スイッチ回路が入力端子間を短絡する。これにより、プルアップ或いはプルダウンされた側の信号線の電位が、他方の信号線の電位と同じになるように変化し、これが検出信号として、当該センサが接続された機器に供給される。
【０００９】
また、この時、電源回路は入力端子を介して電源供給を受けることができなくなるため、その動作を停止するが、代わりに補助電源回路が、入力端子間が開放されている間に充電された充電電荷を放電することで、スイッチ回路及び制御回路への電源供給を行う。このため、一定期間の間、スイッチ回路の導通、即ちプルアップ或いはプルダウンされた信号線に表れる検出信号の信号レベルを保持することができる。
【００１０】
このように、本発明の電波センサによれば、プルアップ或いはプルダウン接続された電源供給可能な一対の信号線があれば、これに接続することができ、しかも、上述の磁気センサの検出信号と同様の検出信号を出力するため、例えば、磁気センサを内蔵した従来のパチンコ機であれば、この磁気センサに接続された一対の信号線に並列接続することができる。
【００１１】
つまり、本発明の電波センサでは、当該電波センサを既存の磁気センサの信号線に取り付けるだけで、不正電波が使用された時に、磁気センサが磁石の不正使用を検出した時と同様の警報を発することができるのである。
しかも、当該電波センサは、補助電源回路を備えているため、不正電波を検出したことを表す信号レベルを、必要な期間だけ保持することができ、当該電波センサの検出信号を用いて制御を行う監視装置に、不正電波の検出を確実に認識させることができる。
【００１２】
また、本発明の電波センサによれば、信号線を介して電源供給を受けて動作するため、信号線の他に、別途、電源線を配線する必要がなく、装置構成を簡易なものとすることができる。
次に、請求項２記載の発明は、請求項１記載の電波センサにおいて、前記スイッチ回路は、前記制御信号により導通する第１のスイッチ素子と、該第１のスイッチ素子の導通時に充電され、遮断時に放電を行う充放電回路と、前記入力端子間に接続され、前記充放電回路の両端電圧が予め定められたしきい電圧以上の時に導通する第２のスイッチ素子とからなることを特徴とする。
【００１３】
このように構成された本発明の電波センサでは、制御回路からスイッチ回路に制御信号が入力され第１のスイッチ素子が導通しても、充放電回路の両端電圧がしきい電圧に達するまでの間は、第２のスイッチ素子が導通しないため入力端子間は開放されたままとなる。そして、充放電回路の両端電圧がしきい電圧に達するまで、制御信号の入力（即ち第１のスイッチ素子の導通状態）が継続された場合に、はじめて第２のスイッチ素子が導通し、入力端子間が短絡する。
【００１４】
従って、本発明の電波センサによれば、瞬時的に発生するノイズを受信アンテナが受信したとしても、第２のスイッチ素子が直ちに作動してしまうことがなく、誤検出を防止することができる。なお、充放電回路の充電時の時定数を調整することにより、制御信号が入力されてから第２のスイッチ素子が作動するまでの遅延時間を、検出すべき電波の性質に応じて簡単かつ任意に設定することができる。
【００１５】
ところで、電波センサの入力端子間が遮断された状態にあっても、電波センサには、電源回路や、電波の受信を待ち受ける制御回路を動作させるための電流（待機電流という）が流れており、この待機電流の大きさに応じて、プルアップされている信号線の電位が低下、或いはプルダウンされている信号線の電位が上昇する。従って、待機電流が大きい場合、電波の検出時と未検出時とで、検出信号の信号レベル差が小さくなるため、この検出信号を用いる監視装置での誤検出の可能性が高くなる。
【００１６】
そこで、請求項３記載の発明は、請求項１又は請求項２記載の電波センサにおいて、前記電源回路は、当該電源回路を流れる電流を制限する電流制限回路を備えることを特徴とする。
このように構成された本発明の電波センサでは、待機電流による信号線の電位低下、或いは上昇を小さく抑えることができ、その結果、電波の検出時と未検出時とで検出信号のレベル差が充分に確保されるため、検出信号を用いる監視装置での誤検出の可能性を低減することができる。
【００１７】
次に、請求項４記載の発明は、請求項１ないし請求項３いずれか記載の電波センサにおいて、前記制御回路は、前記受信アンテナからの受信信号の包絡線検波を行う検波回路からなり、検波信号を前記制御信号とすることを特徴とする。
このように、検波回路を用いることにより、電波が受信されている間、略一定レベルとなる制御信号を簡単に生成することができ、そのまま、トランジスタ等からなるスイッチング素子を駆動するための制御信号として使用できるため、回路構成を簡易化できる。
【００１８】
【発明の実施の形態】
以下に本発明の実施例を図面と共に説明する。
図１は、本実施例の電波センサの全体構成を表す回路図である。
図１に示すように、本実施例の電波センサ２は、電子回路が収納された本体４と、本体４とはケーブル５を介して接続され、当該電波センサ２への電源供給、及び検出信号の伝送を行う一対の信号線を接続するための一対の端子Ｔ１，Ｔ２（本発明における入力端子に相当）を有するコネクタ６と、所定周波数帯（本実施例では、１０ＭＨｚ〜２ＧＨｚ）の電波を受信するための受信アンテナ８とを備えている。
【００１９】
そして、本体４内に収納された電子回路は、端子Ｔ１，Ｔ２間を短絡又は開放するためのスイッチ回路１０と、受信アンテナ８が電波を受信すると、端子Ｔ１，Ｔ２間が短絡するようにスイッチ回路１０を作動させるための制御信号を生成する制御回路１２と、各端子Ｔ１，Ｔ２に接続される一対の信号線を介して電源供給を受け、スイッチ回路１０及び制御回路１２への電源供給を行う電源回路１４と、信号線を介して電源供給を受けることができない場合に、電源回路１４に代わって、スイッチ回路１０及び制御回路１２への電源供給を行う補助電源回路１６とを備えている。
【００２０】
このうち、電源回路１４には、アノードが抵抗Ｒ１を介して端子Ｔ１に接続されたダイオードＤが設けられており、このダイオードＤと端子Ｔ２との間には、カソードがダイオードＤのカソードに接続され、アノードが端子Ｔ２に接続されたツェナーダイオードＺＤが接続されている。
【００２１】
なお、ダイオードＤ及びツェナーダイオードＺＤの両カソードの接続点から延設された線路を内部電源ラインＬｄ，端子Ｔ２から延設された線路をコモンラインＬｃと呼び、以下では、本体４内の電子回路の動作は、このコモンラインＬｃの電位を基準電位として説明する。
【００２２】
また、補助電源回路１６は、内部電源ラインＬｄとコモンラインＬｃとの間に接続された、即ちツェナーダイオードＺＤと並列接続された複数（本実施例では５個）のコンデンサＣ３〜Ｃ７からなる。
そして、電源回路１４は、端子Ｔ１，Ｔ２間の電圧が、ツェナーダイオードＺＤのツェナー電圧Ｖｚ、及びダイオードＤの順電圧Ｖｆの加算値Ｖｚ＋Ｖｆより大きい場合、ダイオードＤがオン状態となり、内部電源ラインＬｄ及びコモンラインＬｃを介して、補助電源回路１６を構成する各コンデンサＣ３〜Ｃ７を、一定電圧（ツェナー電圧）Ｖｚまで充電すると共に、この一定電圧Ｖｚにてスイッチ回路１０及び制御回路１２への電源供給を行う。
【００２３】
一方、端子Ｔ１，Ｔ２間の電圧が上記加算値Ｖｚ＋Ｖｆ以下の場合、ダイオードＤがオフ状態となるため、補助電源回路１６を構成するコンデンサＣ３〜Ｃ７が、内部電源ラインＬｄ及びコモンラインＬｃを介して充電電荷を放電することにより、電源回路１４に代わって、制御回路１２及びスイッチ回路１０への電源供給を行う。
【００２４】
但し、本実施例では、コンデンサＣ３〜Ｃ７の全容量は、制御回路１２やスイッチ回路１０が約５秒間だけ正常に動作する程度、即ち不正電波を検知したことを示す検出信号の信号レベルを約５秒間だけ保持できる程度に設定されている。また、電源回路１４を構成する抵抗Ｒ７の抵抗値は、電源回路１４に流れ込む電流が充分に小さなもの（本実施例では１００μＡ以下程度）となるように設定されており、この抵抗Ｒ７が電流制限回路に相当する。
【００２５】
次に、制御回路１２は、受信アンテナ８とのインピーダンス整合のために、一端が受信アンテナ８，他端がコモンラインＬｃに接続されたマッチング用の抵抗Ｒ１と、エミッタがコモンラインＬｃに接続され、コレクタが、並列接続された抵抗Ｒ４及びコンデンサＣ８を介して内部電源ラインＬｄに接続されると共に、カップリング用のコンデンサＣ１を介して受信アンテナ８からベースに印加される受信信号を増幅するＮＰＮ型のトランジスタＱ１とを備えている。
【００２６】
なお、トランジスタＱ１のベースには、一端が内部電源ラインＬｄ及びコモンラインＬｃにそれぞれ接続された一対のブリーダ抵抗Ｒ２，Ｒ３が接続されている。このブリーダ抵抗Ｒ２，Ｒ３の抵抗値は、トランジスタＱ１がオン状態となるしきい電圧より、わずかに小さいバイアス電圧がトランジスタＱ１のベースに印加されるように両者の比が設定されていると共に、抵抗Ｒ２，Ｒ３を流れる電流が、抵抗Ｒ７を介して電源回路１４に流れ込む電流より小さくなるように、その大きさが設定されている。
【００２７】
このように構成された制御回路１２では、受信アンテナ８が電波を受信すると、トランジスタＱ１のゲート電位は、受信信号の振幅がその平均振幅より大きい半波長の期間ではしきい電圧を超え、残りの半波長の期間ではしきい電圧より小さくなる。即ち、半波長の期間毎に、トランジスタＱ１は、オンオフ動作を繰り返すことになる。しかし、トランジスタＱ１のコレクタに接続されたコンデンサＣ８が、トランジスタＱ１の出力（コレクタ電位）を平滑化する。これにより、制御回路１２は、受信信号の半波についての包絡線を検出する検波回路として動作し、受信アンテナ８が電波を受信している間、信号レベルがＬｏｗレベルとなる検波信号を生成し、これを制御信号としてスイッチ回路１０に供給することになる。
【００２８】
次に、スイッチ回路１０は、ソースが内部電源ラインＬｄに接続され、ゲートに制御回路１２からの制御信号が印加されるＰチャネル型の電界効果トランジスタＱ２と、ドレインが端子Ｔ１、ソースが端子Ｔ２（コモンラインＬｃ）に接続され、ゲートが抵抗Ｒ５を介してトランジスタＱ２のドレインに接続されたＮチャネル型の電界効果トランジスタＱ３とを備えている。また、トランジスタＱ３のゲートとコモンラインＬｃとの間には、コンデンサＣ２及び抵抗Ｒ６が並列接続されている。
【００２９】
このように構成されたスイッチ回路１０では、制御回路１２からの制御信号がＬｏｗレベルの場合、トランジスタＱ２が導通することにより、抵抗Ｒ５を介してコンデンサＣ２が充電される。この充電は、抵抗Ｒ５の抵抗値及びコンデンサＣ２の静電容量により決まる時定数に従った割合で進行し、抵抗Ｒ５，Ｒ６により内部電源ラインＬｄの電源電圧ＶＤＤを分圧してなる分圧値まで充電される。この分圧値は、トランジスタＱ３が導通するしきい電圧Ｖｔｈより大きく設定されており、コンデンサＣ２の充電が進み、その両端電圧Ｖｃがしきい電圧Ｖｔｈを越えると、トランジスタＱ３が導通して端子Ｔ１，Ｔ２間が短絡する。
【００３０】
一方、制御回路１２からの制御信号がＨｉｇｈレベルの場合、トランジスタＱ２が遮断されることにより、コンデンサＣ２の充電電荷は抵抗Ｒ６を介して放電される。この放電は、抵抗Ｒ６の抵抗値及びコンデンサＣ２の静電容量により決まる時定数に従った割合で進行し、コンデンサＣ２の両端電圧Ｖｃがしきい電圧Ｖｔｈ以下になると、トランジスタＱ３が遮断されることにより端子Ｔ１，Ｔ２間が開放される。
【００３１】
つまり、トランジスタＱ２が第１のスイッチ素子、トランジスタＱ３が第２のスイッチ素子、コンデンサＣ２及び抵抗Ｒ５，Ｒ６が充放電回路に相当する。
ここで、本実施例の電波センサ２全体の動作を、図２に示すセンサ各部の波形図に沿って説明する。
【００３２】
但し、図中、時刻ｔ０の時点では、端子Ｔ１，Ｔ２に接続された信号線を介して既に充分に電源供給を受けており、補助電源回路１６を構成するコンデンサＣ３〜Ｃ７は、全てツェナー電圧Ｖｚまで充電されているものとする。
まず、受信アンテナ８にて電波の受信が開始されると（時刻ｔ１）、制御信号がＬｏｗレベルとなり、トランジスタＱ２が導通する。
【００３３】
これにより、コンデンサＣ２の充電が開始される。そして、コンデンサＣ２の両端電圧Ｖｃが、しきい電圧Ｖｔｈに達すると（時刻ｔ２）、トランジスタＱ３も導通することにより、端子Ｔ１，Ｔ２間が短絡する。
この短絡により、端子Ｔ１，Ｔ２間の電位が等しくなると、ダイオードＤがオフして、電源回路１４による制御回路１２やスイッチ回路１０への電源供給が停止するが、代わりに補助電源回路１６を構成するコンデンサＣ３〜Ｃ７が、その充電電荷を放電することにより、制御回路１２やスイッチ回路１０への電源供給が継続される。但し、コンデンサＣ３〜Ｃ７の両端電圧、つまり内部電源ラインＬｄの電源電圧ＶＤＤは、トランジスタＱ３が導通している間、除々に低下することになる。
【００３４】
その後、受信アンテナ８での電波の受信が途絶えると（時刻ｔ３）、制御信号がＨｉｇｈレベルに復帰することにより、トランジスタＱ２が遮断され、抵抗Ｒ６を介したコンデンサＣ２の放電が開始される。この放電によりコンデンサＣ２の両端電圧Ｖｃがしきい電圧Ｖｔｈより小さくなると（時刻ｔ４）、トランジスタＱ３も遮断されることにより、端子Ｔ１，Ｔ２間が開放される。これと共に、ダイオードＤがオンして電源回路１４による制御回路１２やスイッチ回路１０への電源供給が再開されることにより、補助電源回路１６を構成するコンデンサＣ３〜Ｃ７の両端電圧、即ち内部電源ラインＬｄの電源電圧ＶＤＤも、ツェナー電圧Ｖｚまで復帰する。
【００３５】
以上のように構成された本実施例の電波センサ２は、例えば、磁石の不正使用を検出するための磁気センサが予め内蔵されたパチンコ機に取り付けることができる。
なお、磁気センサが内蔵されたパチンコ機では、図３に示すように、磁気センサＳの検出信号に基づいてランプを点灯させる等の制御を行う監視装置Ｋを備えており、この監視装置Ｋと磁気センサＳとの間に、磁気センサＳの検出信号を伝送するための一対の信号線Ｌ１，Ｌ２が配線されている。
【００３６】
また、一般に、磁気センサＳは、磁石の磁気を検知して、スイッチを閉じることにより、信号線Ｌ１，Ｌ２間を短絡するものが用いられており、監視装置Ｋ内では、図４（ａ）に示すように、一方の信号線Ｌ１は抵抗Ｒｕを介して電源ラインＶａに接続（プルアップ）され、他方の信号線Ｌ２は接地されている。
【００３７】
そして、磁気センサＳが磁気を検知して信号線Ｌ１，Ｌ２間を短絡すると、プルアップされた信号線Ｌ１の電位が接地電位に変化する。つまり、信号線Ｌ１上の信号をインバータ回路ＩＮＶを介して取り込むことで、アクティブハイの検出信号が得られるように構成されている。
【００３８】
このため、本実施例の電波センサ２の取付は、この信号線Ｌ１，Ｌ２を分岐させた信号線に、当該電波センサ２のコネクタ６に設けられた端子Ｔ１，Ｔ２をそれぞれ接続するだけでよい。
つまり、本実施例の電波センサ２も、不正電波を検知すると端子Ｔ１，Ｔ２間を短絡するように動作するため、磁気センサＳと全く同様の検出信号が監視装置Ｋに供給されることになる。
【００３９】
ところで、監視装置Ｋ内での信号線Ｌ１，Ｌ２の接続は、図４（ａ）の場合に限らず、例えば、図４（ｂ）に示すように、一方の信号線Ｌ１が電源ラインＶａに直に接続され、他方の信号線Ｌ２が、抵抗Ｒｄを介して接地（プルダウン）されていてもよい。この場合、信号線Ｌ１，Ｌ２（端子Ｔ１，Ｔ２）間が短絡すると、プルダウンされた信号線Ｌ２の信号レベルが、他方の信号線Ｌ１の信号レベルと等しくなるように変化するため、このプルダウンされた信号線Ｌ２の信号レベルをインバータ回路ＩＮＶを介して取り込むことで、アクティブロウの検出信号が得られる。
【００４０】
更に、図４（ｃ）に示すように、図４（ｂ）の構成に加えて、抵抗Ｒｄとインバータ回路ＩＮＶとの間に、直列抵抗Ｒｈと、電源ラインＶｂ（＜Ｖａ）に接続された入力保護用ダイオードＤｈとを設ければ、大きな電圧の機器であっても使用可能となる。
【００４１】
但し、プルアップ又はプルダウン用の抵抗Ｒｕ，Ｒｄの抵抗値は、電波の未検出時（端子Ｔ１，Ｔ２間の開放時）に電源回路１４に流れ込む待機電流による電圧降下又は電圧上昇が、数百ｍＶ以下になるよう設定されていることが望ましい。
【００４２】
以上説明したように、本実施例の電波センサ２においては、端子Ｔ１，Ｔ２に接続される信号線を介して電源供給を受け動作するように構成されており、検出信号を伝送する信号線以外に、別途、電源線を設ける必要がないため構成を小型化できる。
【００４３】
しかも、本実施例の電波センサ２は、不正電波を検出すると端子Ｔ１，Ｔ２間を短絡するように構成されており、従来のパチンコ機に内蔵された磁気センサＳが磁石の不正使用を検出した場合と全く同様に動作するため、磁気センサＳ用の信号線Ｌ１，Ｌ２に当該電波センサ２を取り付けた場合には、他に新たな構成を何等追加することなく、不正電波の検出時に、磁石の不正使用の検出時と同様の制御を、監視装置Ｋに行わせることができる。
【００４４】
また、本実施例の電波センサ２では、補助電源回路１６が設けられており、不正電波の検出により端子Ｔ１，Ｔ２間が短絡され信号線Ｌ１，Ｌ２を介して電源供給を受けることができなくなっても、検出信号の信号レベルを一定期間保持できるようにされているので、監視装置Ｋ等に不正電波の検出を確実に認識させることができる。
【００４５】
また、本実施例の電波センサ２では、受信アンテナ８による電波の受信があった時に、直ちに端子Ｔ１，Ｔ２間を短絡させるのではなく、電波の受信が一定期間以上継続した場合に、はじめて端子Ｔ１，Ｔ２間を短絡させているので、瞬時的なノイズにより誤動作してしまうことがなく、また、ツェナーダイオードＺＤを用いて発生させた定電圧にて内部回路を駆動しているため、信号線Ｌ１，Ｌ２を介して供給される電源の電圧変動によらず、内部電源ラインＬｄの電圧ＶＤＤは安定したものとなるため、信頼性の高い検出を行うことができる。
【００４６】
更に、本実施例の電波センサ２では、電波の未検出時に電源回路１４に流れ込む待機電流を抵抗Ｒ７によって制限しており、この待機電流が信号線Ｌ１，Ｌ２のプルアップ又はプルダウン用の抵抗に流れることにより、信号線Ｌ１，Ｌ２の電位が大きく低下或いは上昇することがないようにされている。
【００４７】
従って、本実施例の電波センサ２によれば、電波の検出時と未検出時とで検出信号の信号レベル差が充分に大きなものとなるため、監視装置Ｋにて検出信号が誤認される可能性を確実に低減することができる。
なお、制御信号が入力されてからトランジスタＱ３が導通するまでの遅延時間を決めるコンデンサＣ２の充電時の時定数、電源回路１４に流れ込む電流を制限する抵抗Ｒ７の抵抗値、補助電源回路１６の全静電容量等は、必要に応じて適宜設定すればよい。
【図面の簡単な説明】
【図１】実施例の電波センサの詳細構成を表す回路図である。
【図２】電波センサの各部の動作を表す波形図である。
【図３】電波センサの取付状態を表す説明図である。
【図４】信号線の接続例を示す説明図である。
【符号の説明】
２…電波センサ        ４…本体      ５…ケーブル    ６…コネクタ
８…受信アンテナ    １０…スイッチ回路            １２…制御回路
１４…電源回路        １６…補助電源回路      Ｔ１，Ｔ２…端子
Ｌｃ…コモンライン    Ｌｄ…内部電源ライン    Ｑ１〜Ｑ３…トランジスタ
Ｒ１〜Ｒ７…抵抗      Ｃ１〜Ｃ８…コンデンサ          Ｄ…ダイオード
ＺＤ…ツェナーダイオード      Ｌ１，Ｌ２…信号線      Ｓ…磁気センサ
Ｋ…監視装置
【図１】
0003609653.tif 000002
【図２】
0003609653.tif 000003
【図３】
0003609653.tif 000004
【図４】
0003609653.tif 000005